(57)【要約】【課題】複数の無線ＬＡＮが存在することで生じる電波干渉を解消する電波干渉解消方法、及び当該電波干渉を解消する機能を具備する無線通信機器を提供することを目的とする。【解決手段】電波干渉が発生している状態に存在するＳＴＡは、電波干渉状態を検知すると、ＡＰに対し現在ＡＰ間の無線通信で使用中の周波数チャネルの変更要求をする（ステップ  Ｓ１）。変更要求を受信したＡＰは、当該要求に対する処理結果をＳＴＡに送信する（ステップ  Ｓ２）。ＳＴＡはこの結果に基き、周波数チャネルの変更に係る処理を行う。ＡＰはＳＴＡが変更要求処理結果を受信したことを確認し、周波数チャネルを変更する場合、ＳＴＡに対し周波数チャネル変更を通知する（ステップ  Ｓ３）。その後、ＡＰは現在使用中の周波数チャネルの使用を中止し、周波数チャネル変更処理を行う。ＳＴＡは変更された周波数チャネルを用いて、無線通信を開始する。【選択図】  図５
2004357056.tif 000002
【特許請求の範囲】
【請求項１】
周波数チャネルを制御する第１の無線通信機器と無線通信可能な範囲に存在するとともに、前記第１の無線通信機器と無線通信が可能な第２の無線通信機器に生じる電波干渉を解消する電波干渉解消方法において、
前記第２の電子機器は、前記無線通信中に受信する電波からフレームを取得し、
前記取得されたフレームを参照して、前記無線通信可能な範囲で使用される電波を受信したか否かを判断し、
前記無線通信可能な範囲と異なる範囲で使用される電波を受信、と判断された結果に基いて、前記第１の無線通信機器に前記周波数チャネルの変更要求を送信し、
前記第１の無線通信機器は、前記送信された前記変更要求に対し応答し、
前記応答後、前記第２の電子機器に無線通信を切断することを通知し、
前記通知後、前記周波数チャネルの使用を中止することを特徴とする電波干渉解消方法。
【請求項２】
周波数チャネルを制御する第１の無線通信機器と無線通信可能な範囲に存在するとともに、前記第１の無線通信機器と前記周波数チャネルを使用して無線通信が可能な第２の無線通信機器に生じる電波干渉を解消する電波干渉解消方法において、
前記第２の電子機器は、前記無線通信中に受信する電波からフレームを取得し、
前記取得されたフレームを参照して、前記無線通信可能な範囲で使用される電波を受信したか否かを判断し、
前記無線通信可能な範囲と異なる範囲で使用される電波を受信、と判断された結果に基いて、前記第１の無線通信機器に前記周波数チャネルの変更要求を送信し、
前記第１の無線通信機器は、前記送信された前記変更要求に対し応答し、
前記応答後、前記周波数チャネルの使用を中止することを特徴とする電波干渉解消方法。
【請求項３】
前記第１の無線通信機器は、前記周波数チャネルの使用を中止した後、前記周波数チャネルと異なる周波数チャネルを選択し、
前記第２の無線通信機器は前記異なる周波数チャネルを使用して、無線通信を開始することを特徴とする請求項１記載の電波干渉解消方法。
【請求項４】
前記第２の無線通信機器は、前記応答の内容に基づいて、前記第１の無線通信機器がビジー状態であると判別し、
前記判別された前記第１の無線通信機器の状態に基いて、前記第１の無線通信機器に前記周波数チャネルの変更要求を再度送信することを特徴とする請求項１記載の電波干渉解消方法。
【請求項５】
前記第２の無線通信機器は、前記応答に含まれるとともに、前記周波数チャネルの変更を再度要求するまでの所定の時間の値を受信し、
前記応答の内容に基づいて、前記第１の無線通信機器がＱｏＳを保障した無線通信状態であると判別し、
前記判別された前記第１の無線通信機器の状態、及び前記受信した再度要求するまでの所定の時間の値に基いて、前記第１の無線通信機器に前記周波数チャネルの変更要求を再度送信することを特徴とする請求項１記載の電波干渉解消方法。
【請求項６】
前記第２の無線通信機器は、前記応答を受信しない場合、前記第１の電子機器に前記周波数チャネルの変更要求を再度送信することを特徴とする請求項１記載の電波干渉解消方法。
【請求項７】
周波数チャネルを制御する外部無線通信機器と無線通信可能な範囲に存在するとともに、前記外部無線通信機器と前記周波数チャネルを使用して無線通信が可能な無線通信機器において、
前記無線通信中に受信する電波からフレームを取得する取得手段と、
前記取得手段によって取得された前記フレームを参照して、前記無線通信可能な範囲で使用される電波を受信したか否かを判断する判断手段と、
前記判断手段によって、前記無線通信可能な範囲と異なる範囲で使用される電波を受信、と判断された判断結果に基いて、前記外部無線通信機器に前記周波数チャネルの変更要求を送信する送信手段と、
前記送信手段によって送信された前記変更要求に対し、前記外部無線通信機器が行う応答を受信する受信手段と、
前記受信手段によって受信された前記応答に基いて、前記周波数チャネルの使用を中止する中止手段と、
を具備することを特徴とする無線通信機器。
【請求項８】
前記中止手段によって前記周波数チャネルの使用を中止した後、前記外部無線通信機器によって選択されるとともに、前記中止された周波数チャネルと異なる周波数チャネルを使用して、無線通信を開始する手段と、
を具備することを特徴とする請求項７記載の無線通信機器。
【請求項９】
前記応答の内容に基いて、前記外部無線通信機器がビジー状態であると判別する判別手段と、
前記判別手段によって判別された前記外部無線通信機器の状態に基いて、前記外部機器に前記周波数チャネルの変更要求を再度送信する送信手段と、
を具備することを特徴とする請求項７記載の無線通信機器。
【請求項１０】
前記受信された前記応答に含まれるとともに、前記周波数チャネルの変更を再度要求するまでの所定の時間の値を受信する受信手段と、
前記応答の内容に基いて、前記外部無線通信機器がＱｏＳを保障した無線通信中であると判別する判別手段と、
前記判別手段によって判別された前記外部無線通信機器の状態、及び前記再度要求するまでの所定の時間の値に基いて、前記外部機器に前記周波数チャネルの変更要求を再度送信する送信手段と、
を具備することを特徴とする請求項７記載の無線通信機器。
【請求項１１】
前記受信手段によって前記応答を受信しない場合、前記外部無線通信機器に前記周波数チャネルの変更要求を再度送信する送信手段と、
を具備することを特徴とする請求項７記載の無線通信機器。
【請求項１２】
前記判断手段によって、前記無線通信可能な範囲と異なる範囲で使用される電波を受信、と判断された判断結果に基いて、電波干渉状態であることをユーザに報知する報知手段と、
を具備することを特徴とする請求項７記載の無線通信機器。
【請求項１３】
前記中止手段による前記周波数チャネルの使用の中止動作に基いて、電波干渉状態が解消されたことをユーザに報知する報知手段と、
を具備することを特徴とする請求項７記載の無線通信機器。
【請求項１４】
前記開始手段による前記異なる周波数チャネルを使用する無線通信の開始動作に基いて、無線通信が開始されたことをユーザに報知する報知手段と、
を具備することを特徴とする請求項８記載の無線通信機器。
【請求項１５】
前記周波数チャネルの変更要求に使用されるフレームは、Ｍａｎａｇｅｍｅｎｔ  Ｆｒａｍｅ又はＣｏｎｔｒｏｌ  Ｆｒａｍｅを利用して定義されることを特徴とする請求項７記載の無線通信機器。
【請求項１６】
外部無線通信機器が使用する周波数チャネルの制御を行うとともに、前記外部無線通信機器と前記周波数チャネルを使用して無線通信可能な無線通信機器において、
前記外部無線通信機器から周波数チャネルの変更要求を受信する受信手段と、
前記受信手段によって受信された前記変更要求に対して応答する応答手段と、
前記応答手段による前記応答後、前記外部無線通信機器に無線通信を切断することを通知する通知手段と、
前記通知手段によって前記切断を通知した後、前記周波数チャネルの使用を中止する中止手段と、
を具備することを特徴とする無線通信機器。
【請求項１７】
外部無線通信機器が使用する周波数チャネルの制御を行うとともに、前記外部無線通信機器と前記周波数チャネルを使用して無線通信可能な無線通信機器において、
前記外部無線通信機器から周波数チャネルの変更要求を受信する受信手段と、
前記受信手段によって受信された前記変更要求に対して応答する応答手段と、
前記応答手段による前記応答後、前記周波数チャネルの使用を中止する中止手段と、
を具備することを特徴とする無線通信機器
【請求項１８】
前記中止手段によって前記周波数チャネルの使用を中止した後、前記周波数チャネルと異なる周波数チャネルを選択する選択手段と、
を具備することを特徴とする請求項１６又は１７記載の無線通信機器。
【請求項１９】
前記変更要求に対する応答に使用されるフレームは、Ｍａｎａｇｅｍｅｎｔ  Ｆｒａｍｅ又はＣｏｎｔｒｏｌ  Ｆｒａｍｅを利用して定義されることを特徴とする請求項１６又は１７記載の無線通信機器。
【発明の詳細な説明】
【０００１】
【発明の属する技術分野】
本発明は無線通信技術に関し、特に、電波干渉を解消する電波干渉解消方法、及び電波干渉を解消する機能を具備する無線通信機器に関する。
【０００２】
【従来の技術】
近年、敷設の容易性、導入コストの経済性等を考慮して、オフィスや家庭等に無線ＬＡＮ（Ｌｏｃａｌ  Ａｒｅａ  Ｎｅｔｗｏｒｋ）が導入されている。無線ＬＡＮは、無線ＬＡＮ導入以前より使用されていた有線ＬＡＮと比較して、通信可能な範囲内において、無線ＬＡＮを形成する各端末を移動させることが可能、つまり機動性が高いが、当該通信可能な範囲を示す境界が曖昧である。
【０００３】
通信可能な範囲を示す境界が曖昧であるために、複数の無線ＬＡＮが隣接して存在している場合、複数の無線ＬＡＮ夫々の通信可能な範囲が重複する範囲に、端末が存在してしまうことがある。当該端末（以下、重複範囲に存在する端末、と称す。）は互いに隣接する無線ＬＡＮ内の夫々の電波を受信することで、電波干渉問題が発生する場合がある。
【０００４】
上記で説明した電波干渉を解決する方法として、重複範囲に存在する端末は、周囲の電波環境を検知し、その検知結果に基いて無線通信に使用される周波数チャネルを決定する、という方法が使用される。
【０００５】
電波干渉を解消するように、無線通信に使用される周波数チャネルを決定する従来の技術として、無線通信を行う通信装置群と、これらの通信装置群と有線と接続されるとともに、これらの通信装置群で検出されたエラー発生状況に基いて使用する周波数チャネルを動的に選択する周波数チャネル制御装置とから構成される無線ＬＡＮシステムがあった（特許文献１参照。）。
【０００６】
【特許文献１】
特開２００２−２７１３３６号公報（第３頁、第１図）
【０００７】
【発明が解決しようとする課題】
しかしながら、特許文献１に開示されている従来の技術は、無線通信装置群が無線通信を行う際に発生する電波干渉を解消するために、無線通信装置群が無線通信を行う際に使用する周波数チャネルを切替え、無線通信装置群が検出したエラー発生状況に基づいて、周波数チャネルを動的に切替える機能のみを有する周波数チャネル制御装置を無線通信装置群と有線で接続することで、新たに設置しなければならない、という問題点があった。
【０００８】
そこで、無線ＬＡＮで使用される周波数チャネルを制御する周波数チャネル制御装置等を新たに設けることなく、本発明は、複数の無線ＬＡＮが存在することで生じる電波干渉を解消する電波干渉解消方法、及び当該電波干渉を解消する機能を具備する無線通信機器を提供することを目的とする。
【０００９】
【課題を解決するための手段】
上記目的を達成するために、請求項１に係る発明では、周波数チャネルを制御する第１の無線通信機器と無線通信可能な範囲に存在するとともに、第１の無線通信機器と無線通信が可能な第２の無線通信機器に生じる電波干渉を解消する電波干渉解消方法において、第２の電子機器は、前記無線通信中に受信する電波からフレームを取得し、取得されたフレームを参照して、無線通信可能な範囲で使用される電波を受信したか否かを判断し、無線通信可能な範囲と異なる範囲で使用される電波を受信、と判断された結果に基いて、第１の無線通信機器に周波数チャネルの変更要求を送信し、送信された変更要求に対し応答し、応答後、第２の電子機器に無線通信を切断することを通知し、通知後、周波数チャネルの使用を中止することを特徴とする。
【００１０】
このような構成により、電波干渉状態を解消することが可能である。
【００１１】
また、請求項７に係る発明では、周波数チャネルを制御する外部無線通信機器と無線通信可能な範囲に存在するとともに、外部無線通信機器と周波数チャネルを使用して無線通信が可能な無線通信機器において、無線通信中に受信する電波からフレームを取得する取得手段と、取得手段によって取得されたフレームを参照して、無線通信可能な範囲で使用される電波を受信したか否かを判断する判断手段と、判断手段によって、無線通信可能な範囲と異なる範囲で使用される電波を受信、と判断された判断結果に基いて、外部無線通信機器に周波数チャネルの変更要求を送信する送信手段と、送信手段によって送信された変更要求に対し、外部無線通信機器が行う応答を受信する受信手段と、受信手段によって受信された応答に基いて、周波数チャネルの使用を中止する中止手段とを具備することを特徴とする。
【００１２】
このような構成により、電波干渉状態を解消することが可能である。
【００１３】
【発明の実施の形態】
以下本発明に係る実施の形態を、図面を参照して説明する。
【００１４】
図１は、２つの無線ＬＡＮが隣接するために生じる電波干渉問題を示す第１の図である。
【００１５】
図１に示す第１の基本サービスエリア（以下、ＢＳＡ（Ｂａｓｉｃ  Ｓｅｒｖｉｃｅ  Ａｒｅａ）と称す。）１は、周波数チャネルの制御等を行う無線通信制御局の役目を果たす第１のアクセスポイント（以下、ＡＰと称す。）３を中心とする無線通信可能な範囲を表す。この第１のＢＳＡ１内に属する第１のＡＰ３、及び第１のＡＰ３の制御配下にある第２のステーション（以下、ＳＴＡと称す。）６を初めとする無線通信端末群からなる無線通信可能な電子機器群のことを、第１の基本サービスセット（以下、ＢＳＳ（Ｂａｓｉｃ  Ｓｅｒｖｉｃｅ  Ｓｅｔ）と称す。）と称す。第１のＢＳＡ１内において、例えば、第１のＡＰ３と無線通信端末である第２のＳＴＡ６は、無線通信を行うことが可能である。
【００１６】
さらに、第１のＢＳＡ１に隣接する空間に、基地局の役目を果たす第２のＡＰ４を中心とした第２のＢＳＡ２が存在する。第１のＡＰ３及び第２のＡＰ４の配置具合に応じて、例えば図１に示すように、第１のＢＳＡ１及び第２のＢＳＡ２が重複する範囲２０が存在する場合がある。
【００１７】
重複する範囲２０が存在するように第１のＢＳＡ１及び第２のＢＳＡ２が配置されている場合において、まず第１のＡＰ３の電源をオンにしたとする。当該電源オン後、第１のＡＰ３は周囲の電波環境を検知して、無線通信を行う際に使用する任意の周波数チャネル（例えば、第１の周波数チャネル）を選択する。さらに第２のＡＰ４の電源をオンにしたとする。当該電源オン後、第２のＡＰ４も自機の周囲の電波環境を検知して、無線通信を行う際に使用する任意の周波数チャネル（例えば、第２の周波数チャネル）を選択する。第１のＡＰ３及び第２のＡＰ４夫々が使用する周波数チャネルの選択の仕方によっては、重複する範囲２０に電波干渉が発生する。
【００１８】
さて、上記で説明した電波干渉が発生している状態である重複する範囲２０（以下、電波干渉状態にある重複範囲２０と称す。）に、第１のＳＴＡ５が第１のＡＰ３と無線通信を行うために、第１のＢＳＡ１及び第２のＢＳＡ２以外の場所から移動してきたとする。
【００１９】
第１のＳＴＡ５は、第１の周波数チャネルを使用して、第１のＡＰ３と無線通信を開始する。この時、第１のＡＰ３は、電波干渉状態にある重複範囲２０に存在しているので、第２のＡＰ４が送信する電波によって、電波干渉の影響を被っている。また、第１のＳＴＡ５が第１のＡＰ３と無線通信を行うことで送信している電波によって、第２のＡＰ４も電波干渉の影響を被ることになる。
【００２０】
図２は、２つの無線ＬＡＮが隣接するために生じる電波干渉問題を示す第２の図である。
【００２１】
第１のＡＰ３、第２のＡＰ４及び夫々のＡＰを中心とする夫々のＢＳＡ等の説明内容は、図１を用いて説明した内容と同様である。図１を用いて説明した内容と同様に、第１のＡＰ３が使用する周波数チャネル（図１を用いて説明した場合と同様に、例えば第１の周波数チャネルとする。）及び第２のＡＰ４が使用する周波数チャネル（図１を用いて説明した場合と同様に、例えば第２の周波数チャネルとする。）夫々を選択した場合、電波干渉が生じる場合を考える。
【００２２】
図２に示される第１のＢＳＡ１と第２のＢＳＡ２は、互いのＢＡＳが重複した範囲を有していないので、第１のＡＰ３及び第２のＡＰ４の電源をオンした状態において、電波干渉が発生する範囲は存在しない。
【００２３】
しかし、第１のＳＴＡ５が第１のＡＰ３と無線通信を行うために、図２に示す第１のＢＳＡ１内に移動、さらに第２のＳＴＡ６が第２のＡＰ４と無線通信を行うために、図２に示す第２のＢＳＡ２内に移動してきたとする。
【００２４】
第１のＳＴＡ５は第１の周波数チャネルを使用して、第１のＡＰ３と無線通信を開始する。従って、第１のＳＴＡ５から、第１のＳＴＡ５を中心とした範囲７内に第１の周波数チャネルに関わる電波が送信される。また、第２のＳＴＡ６は第２の周波数チャネルを使用して、第２のＡＰ４と無線通信を開始する。従って、第２のＳＴＡ６から、第２のＳＴＡ６を中心とした範囲８内に第２の周波数チャネルに関わる電波が送信される。図１を用いて説明した場合と同様に、第１の周波数チャネルに関わる電波及び第２の周波数チャネルに関わる電波は互いに電波干渉を生じるので、第１のＳＴＡ５の無線通信可能な範囲７及び第２のＳＴＡ６の無線通信可能な範囲８の重複する範囲２１において、第１のＳＴＡ５及び第２のＳＴＡ６は互いに電波干渉の影響を被る。
【００２５】
図３は、本発明に係るＳＴＡ及びＡＰのハードウェアブロック図である。
【００２６】
図４は、電波干渉に関する内容を定義するテーブルである。
【００２７】
第１のブリッジ回路１１は、ＣＰＵ（Ｃｅｎｔｒａｌ  ＰｒｏｃｅｓｓｉｎｇＵｎｉｔ）１０、メインメモリ１２、ディスプレイ１３及び第２のブリッジ回路１４と接続される。第１のブリッジ回路１１には、メインメモリ１２を制御するメモリコントローラ（図示せず。）及びディスプレイ１３を制御するグラフィックスコントローラ（図示せず。）が搭載される。
【００２８】
ＣＰＵ１０は、本発明に係る電子機器全体の制御及びデータの演算等を行う。
【００２９】
メインメモリ１２は、ＯＳ（Ｏｐｅｒａｔｉｎｇ  Ｓｙｓｔｅｍ）、デバイスドライバ、実行対象のアプリケーションプログラム等を格納する。
【００３０】
メインメモリ１２には、例えば、無線通信に関する設定等を行うソフトウェアであるアプリケーションプログラムがロードされる。本電子機器の使用者は、このプログラムを使用して、図４の２２ａに示される「電波干渉検知モード」の設定を行うことが可能である。電波干渉検知モードの設定において、「電波干渉を検知する」（図４における「有効」を意味する。）と設定した場合、本電子機器は自機の周辺の電波干渉を検知することが可能となる。さらに、本電子機器は、「電波干渉検知モード」が「有効」になっている場合において、電波干渉を検知した場合は、図４の２２ｂに示される「電波干渉状態」に「電波干渉有り」、電波干渉を検知しなかった場合は「電波干渉無し」と記憶する。また、電波干渉監視モードの設定において、「電波干渉を検知しない」（図４における「無効」を意味する。）と設定した場合、本電子機器は、自機の周辺の電波干渉を検知しない。ここで、本電子機器の使用者が、当該ソフトウェアを起動して、電波干渉検知モードの設定動作を行わずに、電波干渉検知モードの初期設定として、電波干渉を検知する、と設定されていても差し障りはない。
【００３１】
ディスプレイ１３は各種情報を表示する。例えば、本電子機器の周辺電波環境（例えば、電波干渉状態であるか否か）等を、メインメモリ１２にロードされるアプリケーションやユーティリティ等を用いて表示する。
【００３２】
第２のブリッジ回路１４は、磁気ディスク装置１５、ＥＣ（ＥｍｂｅｄｄｅｄＣｏｎｔｒｏｌｅｒ）１６ａ、サウンドコントローラ１７ａ及び無線モジュール１９と接続される。
【００３３】
磁気ディスク装置１５は、ＯＳ、デバイスドライバ、実行対象のアプリケーションプログラム等が記憶されており、適時メインメモリ１２に転送される。
【００３４】
ＥＣ１６ａには、各装置の動作状況等を示すＬＥＤ１６ｂが接続される。ＥＣ１６ａは、ＬＥＤ１６ｂの点灯、点滅といった動作制御を行う。
【００３５】
ＬＥＤ１６ｂは、本電子機器の周辺電波環境に応じて、点灯、点滅等の動作を行う。例えば、本電子機器が電波干渉状態領域に存在する場合は、ＬＥＤ１６は点灯又は点滅、電波干渉状態領域に存在しない場合は、ＬＥＤ１６は消灯といった具合である。このＬＥＤ１６ｂの点灯点滅といった動作制御は、例えば、後述で説明する無線モジュール１９の動作内容が、後述で説明するとともにメインメモリ１２上にロードされる無線通信制御ソフトウェア１２ａで処理され、その処理内容に基き、ＬＥＤコントローラによって行なわれる。
【００３６】
サウンドコントローラ１７ａには、音を発するスピーカ１７ｂが接続される。サウンドコントローラ１７ａは、スピーカ１７ｂの動作制御を行う。
【００３７】
スピーカ１７ｂは、本電子機器の周辺電波環境に応じて、警告音等を発する。例えば、本電子機器が電波干渉状態領域に存在する場合は、スピーカ１７ｂから警告音が発せられ、電波干渉状態領域に存在しない場合は、スピーカ１７ｂから警告音を発せられない、といった具合である。このスピーカ１７ｂの警告音に関する制御は、例えば、後述で説明する無線モジュール１９の動作内容が、後述で説明するとともにメインメモリ１２上にロードされる無線通信制御ソフトウェア１２ａで処理され、その処理内容に基き、サウンドコントローラ１７ａによって行なわれる。
【００３８】
無線モジュール１９は、電波を送受信するアンテナ部１８と接続される。無線モジュール１９は、高周波部（図示せず。）ＢＢ（Ｂａｓｅ  Ｂａｎｄ）部（図示せず。）及びＭＡＣ（Ｍｅｄｉａ  Ａｃｃｅｓｓ  Ｃｏｎｔｒｏｌ）部（図示せず。）で構成される。
【００３９】
アンテナ部１８は電波を受信する。高周波部は、アンテナ部１８で受信された電波に係る周波数を選択し、さらに選択された周波数を、後述で説明するＢＢ部で処理可能な周波数への周波数変換処理等を行う。ＢＢ部では、周波数処理変換された信号を変復調変換することで、ベースバンド信号へ変換する。ＭＡＣ部は、ベースバンド信号を、ＯＳＩ基本参照モデルの第２層におけるデータリンク層のＭＡＣ層に規定された制御内容に基いて処理する。さらに、メインメモリ１２に磁気ディスク装置１５からロードされる無線通信制御ソフトウェア１２ａは、ＭＡＣ部で処理された信号に基いて、受信フレームの認識等を初めとする処理を行う。この無線通信制御ソフトウェア１２ａは、本発明に係る無線通信技術のバージョンアップ等に伴って、再インストールされることが可能である。尚、フレーム送信時は、上記で説明したプロセスと逆のプロセスを辿り、アンテナ部１８を介して、電波が送信される。
【００４０】
図５は、本発明に係るＳＴＡ及びＡＰ間における、電波干渉状態を解消するための手順の概略を示した図である。
【００４１】
図１及び図２を用いて説明するとともに、電波干渉が発生している状態の重複する範囲に存在するＳＴＡは、電波干渉状態を検知すると、現在、ＡＰとの間の無線通信で使用されている周波数チャネルの変更を、ＡＰに対して要求する（ステップ  Ｓ１）。当該周波数チャネル変更要求を受信したＡＰは、変更要求に対する応答として、変更要求に基いてなされた処理結果をＳＴＡに送信する（ステップ  Ｓ２）。ＳＴＡは、ＡＰから送信された処理結果に基いて、周波数チャネルの変更に係る処理を行う。ＡＰは、ＳＴＡが変更要求処理結果を受信したことを確認し、周波数チャネルを変更する場合は、ＳＴＡに対して周波数チャネル変更の通知を行う（ステップ  Ｓ３）。その後、ＡＰはチャネル変更処理を行う。ＡＰによって変更された周波数チャネルを用いて、ＳＴＡとＡＰ間で無線通信が開始される。以下、図５を用いて説明した内容を、詳細に説明する。
【００４２】
図６は、電波干渉が発生している領域に位置するＳＴＡがＡＰへ周波数チャネル変更を要求するまでに行われる処理手順を示すフローチャートである。
【００４３】
２つの無線ＬＡＮが隣接するために生じる電波干渉問題を説明した図１を用いて、以下、処理手順を説明する。
【００４４】
図１に示す第１のＳＴＡ５が、自機の周辺で発生している電波干渉を検知する前において、当該第１のＳＴＡ５は、第１のＡＰ３が選択した周波数チャネルを用いて、第１のＡＰ３と無線通信を行っている（第１のＳＴＡ５と第１のＡＰ３との無線通信動作のことを、第１のＳＴＡ５における通常の動作、と称す。）。第１のＳＴＡ５は無線通信を行うために電波を受信し、当該受信した電波から受信フレームを取得する（ステップ  Ｓ４）。
【００４５】
第１のＳＴＡ５は、取得した受信フレームに設定されているとともに、当該受信フレームを送信した無線通信可能な電子機器が所属するＢＳＳを示すＢＳＳ  ＩＤを参照する（ステップ  Ｓ５）。第１のＳＴＡ５は、このＢＳＳ  ＩＤを参照することで、自機が所属するＢＳＡ内の無線通信可能な電子機器と無線通信を行っているか否かを判断する（ステップ  Ｓ６）。第１のＡＰ３と無線通信中である第１のＳＴＡ５が電波を受信し、その電波に係るデータフレームに設定されているＢＳＳ  ＩＤが、第１のＢＳＳを示すＩＤである場合（ステップ  Ｓ６  ｎｏ）、第１のＳＴＡ５と同一のＢＳＳに所属する第１のＡＰ３と無線通信を行っている、つまり、第１のＢＳＡ１内で使用される電波を受信していることになる。従って、第１のＳＴＡ５は通常の動作を行っている（ステップ  Ｓ７）。
【００４６】
しかし、第１のＡＰ３と無線通信中である第１のＳＴＡ５が電波を受信し、その電波から取得されるデータフレームに設定されているＢＳＳ  ＩＤが、第２のＢＳＳを示すＩＤである場合（ステップ  Ｓ６  ｙｅｓ）、第１のＳＴＡ５は、第２のＢＳＳに所属する第２のＡＰ４から送信された電波を受信していることになる。第１のＡＰ３は、第１のＳＴＡ５と無線通信しており、本来ならば第１のＳＴＡ５から送信された電波だけを受信する状況において、第２のＡＰ４から送信された電波を受信している、つまり、第１のＢＳＡ１と異なる第２のＢＳＡ２内で使用される電波を受信していることになるので、第１のＳＴＡ５は、自機の周辺で電波干渉が発生していると判断する（ステップ  Ｓ８）。
【００４７】
尚、ＢＳＳ  ＩＤの受信に基いて電波干渉が発生したことを判断する処理において、単にＢＳＳ  ＩＤを受信したことで電波干渉が発生した、と判断するのではなく、ＢＳＳ  ＩＤの受信頻度を指標に電波干渉が発生した、と判断しても差し障りは無い。さらに、電波干渉状態であるか否かを判断する際、物理層で検出されるＲＳＳＩ（受信強度）を判断基準の指標として考慮しても差し障りは無い。
【００４８】
電波干渉が発生したことを認識した第１のＳＴＡ５は、図４に示す「電波干渉状態」を「電波干渉有り」という状態で記憶する。
【００４９】
電波干渉が発生していることを認識した第１のＳＴＡ５は、電波干渉状態を解消するために、第１のＡＰ３との無線通信において使用する周波数チャネルの変更動作を行う。当該周波数チャネルを変更する場合（ステップ  Ｓ９  ｙｅｓ）、第１のＳＴＡ５は、第１のＡＰ３に対して当該周波数チャネルの変更を要求する（ステップ  Ｓ１０）。第１のＳＴＡ５は、第１のＳＴＡ５から送信された周波数チャネル変更要求を第１のＡＰ３が受信したことを確認したならば（ステップ  Ｓ１１  ｙｅｓ）、第１のＡＰ３で行なわれる変更要求に対する処理を待つために待機状態に入る。
【００５０】
ステップＳ８における処理である電波干渉であるか否かの判断処理は、前述した無線通信制御ソフトウェア１２ａで行われ、電波干渉状態であるという判断、つまり第１のＳＴＡ５は、第１のＢＳＡ１と異なる第２のＢＳＡ２内で使用される電波を受信している、という判断に基いて、ＥＣ１６ａがＬＥＤ１６ｂを制御し、ＬＥＤ１６ｂを点灯又は点滅等させることで、ユーザに電波干渉状態であることを報知する、無線通信制御ソフトウェア１２ａで行われた電波干渉状態であるという判断に基いて、サウンドコントローラ１７ａがスピーカ１７ｂを制御し、音を発させることで、ユーザに電波干渉状態であることを報知する、又は、無線通信制御ソフトウェア１２ａで行われた電波干渉状態であるという判断に基いて、メインメモリ上にロードされている本電子機器の周辺電波環境に関する情報をユーザに知らせるソフトウェアを用いて、ディスプレイ１３にその情報を表示させることで、ユーザに電波干渉状態であることを報知する、ことが可能である。これらの構成をとることで、ユーザは、第１のＳＴＡ５が電波干渉状態であることを認識することが可能である。
【００５１】
また、ステップＳ１０における処理である、第１のＳＴＡ５から第１のＡＰ３へ送信される周波数チャネル変更要求に係るフレームは、ＩＥＥＥ８０２．１１規格に準備されているＭａｎａｇｅｍｅｎｔフレーム又はＣｏｎｔｒｏｌフレームの未定義部分を利用して、新規に定義することが可能である。
【００５２】
図７は、周波数チャネル変更要求を受信したＡＰによって行なわれる周波数チャネル変更処理手順を示したフローチャートである。
【００５３】
図６の説明と同様に、２つの無線ＬＡＮが隣接するために生じる電波干渉問題を説明した図１を用いて、以下、処理手順を説明する。
【００５４】
図１に示す第１のＳＴＡ５が電波干渉を検知し、さらに第１のＡＰ３との無線通信で使用されている周波数チャネルの変更を第１のＡＰ３に対して要求する前において、第１のＡＰ３は、自機が選択した周波数チャネルを用いて、自機の有するＢＳＡ内に存在するＳＴＡ群（第１のＳＴＡ５を含む。）と無線通信を行っている（この第１のＡＰ３とＳＴＡ群との無線通信動作のことを、第１のＡＰ３における通常の動作と称す。）。通常動作を行っている第１のＡＰ３は、受信した電波に係る受信フレームを取得し、取得した受信フレームに設定されているＢＳＳ  ＩＤを参照する。第１のＡＰ３は、このＢＳＳ  ＩＤを参照することで、自機が所属するＢＳＳ内の無線通信可能な電子機器と無線通信を行っているか否かを判断する。第１のＡＰ３は、自機が所属するＢＳＳの内の無線通信可能な電子機器から送信された受信フレームの中で、周波数チャネル変更要求を意味する受信フレームを受信した場合（ステップ  Ｓ１２  ｙｅｓ）、現在、無線通信に使用されている周波数チャネルの変更要求に係る処理を行う（ステップ  Ｓ１３）。
【００５５】
この処理の内容とは、第１のＡＰ３で行われている無線通信処理状況に基いて、現在使用している周波数チャネルの変更に係る処理を行う内容である。例えば、第１のＡＰ３が、第１のＳＴＡ５と比較して無線通信を行う優先度が大きいＳＴＡと無線通信を行っている最中である場合、第１のＡＰ３は、周波数チャネル変更要求を意味する受信フレームを受信した後、例えば、即座に変更要求に係る処理を行わず、優先度が大きいＳＴＡとの無線通信が完了するまで待機しておく。この内容は後述をもって詳細に説明する。
【００５６】
第１のＡＰ３は、ステップＳ１３における周波数チャネルの変更要求に係る処理を行った後、変更要求に対する応答として、第１のＳＴＡ５に当該処理結果を送信する（ステップ  Ｓ１４）。
【００５７】
また、第１のＡＰ３は、周波数チャネル変更要求を意味しない受信フレームを受信した場合（ステップ  Ｓ１２  ｎｏ）、現在無線通信に使用されている周波数チャネルの変更要求に係る処理を行わず、第１のＳＴＡ５と無線通信と行う。つまり、第１のＡＰ３は、通常の動作を行う（ステップ  Ｓ１５）。
【００５８】
第１のＡＰ３は、第１のＳＴＡ５がステップＳ１４でなされた周波数チャネル変更要求に係る処理結果を受信した、ことを確認した場合（ステップ  Ｓ１６  ｙｅｓ）、第１のＳＴＡ５から変更要求が求められた周波数チャネルを、変更するか否かを決定する（ステップ  Ｓ１７）。第１のＡＰ３は、第１のＳＴＡ５がステップＳ１４でなされた周波数チャネル変更要求に係る処理結果を受信した、ことを確認できなかった場合（ステップ  Ｓ１６  ｎｏ）、再度、第１のＳＴＡ５に対して当該処理結果を送信する。
【００５９】
ステップＳ１７において、第１のＡＰ３が、第１のＳＴＡ５から変更要求がなされた周波数チャネルを変更する場合（ステップ  Ｓ１７  ｙｅｓ）、第１のＡＰ３は、ＳＴＡ５に対し、無線通信を切断することを通知する（ステップ  Ｓ１８）。また、第１のＡＰ３が、第１のＳＴＡ５から変更要求がなされた周波数チャネルを変更しない場合（ステップ  Ｓ１７  ｎｏ）、現在、第１のＡＰ３が行っている処理を完了させる。
【００６０】
第１のＡＰ３は、無線通信で使用される周波数チャネルの変更を行う（ステップ  Ｓ１９）。第１のＡＰ３で行われる周波数チャネルの変更方法として、変更前、つまり現在使用されている周波数チャネルと異なる周波数チャネルを選択するように、周波数チャネルを変更する方法が考えられる。さらに、第１のＡＰ３は、自機の周囲の電波環境を検知して、例えば、検知された電波に対し電波干渉が生じる可能性の低い周波数チャネルを選択する、といった変更方法が考えられる。
【００６１】
第１のＡＰ３は、無線通信に使用される周波数チャネルの変更後、通常動作を行う。
【００６２】
尚、ステップＳ１４における処理であるとともに、第１のＡＰ３から第１のＳＴＡ５へ送信される周波数チャネル変更要求に対する処理結果に係るフレームは、ＩＥＥＥ８０２．１１規格に準備されているＭａｎａｇｅｍｅｎｔフレーム又はＣｏｎｔｒｏｌフレームの未定義部分を利用して、新規に定義することが可能である。
【００６３】
これらのフレームの未定義部分を利用することで、ＩＥＥＥ８０２．１１規格に準拠させることが可能となる。
【００６４】
また、ステップＳ１８における処理である、無線通信の切断通知に係るフレームとして、ＩＥＥＥ８０２．１１に準拠する規格で定義されるＤｅａｕｔｈｅｎｔｉｃａｔｉｏｎフレームやＤｉａｓｓｏｃｉａｔｉｏｎフレームを使用することが可能である。
【００６５】
さらに、ステップ１８における処理において、第１のＡＰ３が、自機の所属する第１のＢＳＡ内のＳＴＡ群に対して、無線通信を切断することを通知するようにしたいならば、無線通信の切断通知に係るフレームとして、ＩＥＥＥ８０２．１１規格に準備されているＭａｎａｇｅｍｅｎｔフレーム又はＣｏｎｔｒｏｌフレームの未定義部分を利用して、新規に定義することが可能である。
【００６６】
これらの新規に定義されたフレームを使用することで、第１のＢＳＡ１内のＳＴＡ群に対し、マルチキャストに、無線通信の切断を通知することが可能である。さらに、これらのフレームの未定義部分を利用することで、ＩＥＥＥ８０２．１１規格に準拠させることが可能となる。
【００６７】
そして、第１のＡＰ３から第１のＳＴＡ５に対し、ステップＳ１８における処理である無線通信の切断を通知せずに、第１のＡＰ３は、現在使用されている周波数チャネルの使用を中止し、当該周波数チャネルの変更処理を行っても差し障りはない。
【００６８】
図８は、周波数チャネル変更要求に対する応答を待つＳＴＡにおける周波数チャネル変更処理手順を示すフローチャートである。
【００６９】
図６及び図７の説明と同様に、２つの無線ＬＡＮが隣接するために生じる電波干渉問題を説明した図１を用いて、以下、処理手順を説明する。
【００７０】
図１に示す第１のＳＴＡ５の状態は、図６を用いて説明したステップＳ１１  ｙｅｓの処理後における、第１のＡＰ３で行われる処理待ち状態である。第１のＳＴＡ５が、当該周波数チャネルの変更要求に係る処理結果を受信した場合（ステップ  Ｓ２０  ｙｅｓ）、第１のＳＴＡ５は、現在第１のＡＰ３との無線通信で使用されている周波数チャネルを変更するか否かを決定する（ステップ  Ｓ２１）。第１のＳＴＡ５が、当該周波数チャネルを変更する場合（ステップ  Ｓ２１  ｙｅｓ）、図４に示す「電波干渉状態」を「電波干渉無し」という状態に更新する（ステップ  Ｓ２２）。
【００７１】
さらに、第１のＳＴＡ５は、第１のＡＰ３から送信される無線通信の切断通知を受信し、現在、第１のＡＰ３との間で行われている無線通信を終了させる。受信後、第１のＳＴＡ５は、周波数チャネルスキャン動作を行い、第１のＡＰ３が新たに選択した周波数チャネルを検知する。そして、第１のＳＴＡ５は、当該新たな周波数チャネルを用いて、第１のＡＰ３と無線通信の再接続を行う（ステップ  Ｓ２３）。
【００７２】
尚、第１のＡＰ３が、第１のＳＴＡ５に対して無線通信の切断通知を送信せず、現在使用中であった周波数チャネルの使用を中止し、新たに周波数チャネルを選択した場合、第１のＳＴＡ５は、現在使用中であった周波数チャネルの使用が不可能になったことに基いて、周波数チャネルスキャン動作を行い、第１のＡＰ３が新たに選択した周波数チャネルを検知する。
【００７３】
さて、前述したステップＳ２０の処理において、第１のＳＴＡ５が、現在無線通信に使用される周波数チャネルの変更要求に係る処理結果を受信しなかった場合（ステップ  Ｓ２０  ｎｏ）、第１のＳＴＡ５は、第１のＡＰ３と無線通信中、つまり通常動作状態にある（ステップ  Ｓ２４）。第１のＳＴＡ５が、所定の時間が経過しても、当該周波数チャネルに係る処理結果を第１のＡＰ３から受信しなかった場合、つまりタイムアウトした場合（ステップ  Ｓ２５  ｙｅｓ）、図４に示す「電波干渉検知モード」又は「電波干渉状態」の値を更新する（ステップ  Ｓ２６）。この更新の仕方は、第１のＳＴＡ５の無線通信機能に関する設定に基くものであり、以下に説明する更新の仕方の例が考えられる。
【００７４】
まず、第１のＳＴＡ５は、発生したタイムアウトに基づいて、「第１のＡＰ３は周波数チャネル変更要求を処理するように実装されていない」と判断するように設定されている場合である。この場合、第１のＳＴＡ５は、「電波干渉検知モード」の値を有効から無効へ変更する。つまり、自機の周辺の電波干渉を検知しない、ように設定する。又は、第１のＳＴＡ５は、「電波干渉検知モード」の値を有効のままで変更せず、「電波干渉状態」の値を、「電波干渉有り」から「電波干渉無し」へ変更する。
【００７５】
上記で説明した更新の仕方に従うと、第１のＳＴＡ５は、「電波干渉を検知しない」、又は「電波干渉無しと判断する」ので、第１のＡＰ３が行う周波数チャネル変更処理を待つ状態から解除される。そして、第１のＳＴＡ５は、電波干渉が生じている状態で、第１のＡＰ３と無線通信を行う。
【００７６】
次に、第１のＳＴＡ５は、タイムアウトが発生したにもかかわらず、「第１のＡＰ３に対して、周波数チャネル変更要求を行う」場合である。この場合、第１のＳＴＡ５は、「電波干渉検知モード」の値を有効のままで変更せず、「電波干渉状態」の値を、「電波干渉有り」のままで、再度変更する。
【００７７】
上記で説明した更新の仕方に従うと、第１のＳＴＡ５は、「再度、電波干渉有りと判断する」ので、第１のＡＰ３が行う周波数チャネル変更処理を待つ状態から解除される。さらに、第１のＳＴＡ５は、第１のＡＰ３に対して、図６のステップＳ１０で説明した処理内容である、現在使用されている周波数チャネル変更を再度、要求する。
【００７８】
また、前述したステップＳ２１の処理において、第１のＳＴＡ５が、現在第１のＡＰ３との無線通信で使用されている周波数チャネルの変更を行わなかった場合（ステップ  Ｓ２１  ｎｏ）、第１のＳＴＡ５は、図４に示す「電波干渉検知モード」又は「電波干渉状態」の値を更新する（ステップ  Ｓ２７）。この「電波干渉検知モード」又は「電波干渉状態」の値の更新動作は、第１のＡＰ３から送信されるとともに、周波数チャネルの変更要求に係る処理結果に含まれる「周波数チャネルを変更しない理由」の内容に基いて行われ、以下に説明する更新の仕方の例が考えられる。
【００７９】
まず、第１のＡＰ３から送信された「周波数チャネルを変更しない理由」の内容が、「第１のＳＴＡ５は、周波数チャネルの変更要求を行う権利を有していないＳＴＡである。」という内容の場合である。この場合、周波数チャネルの変更要求を行うのに必要な動作である、自機の周辺の電波干渉の検知動作を行わないように変更する。つまり、「電波干渉検知モード」の値を有効から無効へ変更する。又は、第１のＳＴＡ５は、「電波干渉検知モード」の値を有効のままで変更せず、「電波干渉状態」の値を、「電波干渉有り」から「電波干渉無し」へ変更する。第１のＳＴＡ５は、「電波干渉状態」の値を「電波干渉無し」と認識することで、「電波干渉有り」と認識した時に行われる、周波数チャネルの変更要求を第１のＡＰ３に対して行わない。
【００８０】
上記で説明した更新の仕方の場合、第１のＳＴＡ５は、第１のＡＰ３に周波数チャネルの変更を再度、要求しないので（ステップ  Ｓ２８  ｎｏ）、第１のＳＴＡ５は、電波干渉が生じている状態で、第１のＡＰ３と無線通信を行う。
【００８１】
次に、第１のＡＰ３から送信された「周波数チャネルを変更しない理由」の内容が、「第１のＳＴＡ５は、再度、周波数チャネルの変更要求を行わなければならい。」という内容の場合である。この内容が第１のＡＰ３から送信される場合とは、例えば、第１のＡＰ３が、自機の有するＢＳＡ内における第１のＳＴＡ５以外のＳＴＡと、一時的にデータ送受信中等、つまりビジー状態の場合である。上記の場合、第１のＳＴＡ５は、「電波干渉検知モード」の値を有効のままで変更せず、「電波干渉状態」の値を、「電波干渉有り」のままで、再度変更する。
【００８２】
上記で説明した更新の仕方に従うと、第１のＳＴＡ５は、再度、電波干渉有りと判断するので、第１のＡＰ３に、現在使用されている周波数チャネル変更を再度、要求することとなり（ステップ  Ｓ２８  ｙｅｓ）、当該周波数チャネル変更要求の再送を行う（ステップ  Ｓ２９）。
【００８３】
そして、第１のＡＰ３から送信された「周波数チャネルを変更しない理由」の内容が、「第１のＳＴＡ５は、所定の時間経過後に、再度、周波数チャネルの変更要求を行わなければならない。」という内容の場合である。この内容が第１のＡＰ３から送信される場合とは、例えば、第１のＡＰ３が、自機の有するＢＳＡ内における第１のＳＴＡ５以外のＳＴＡに、ストリーミングデータを送信中であるといった、第１のＳＴＡ５以外のＳＴＡに対して、ＱｏＳを保障して無線通信を行っている場合である。上記の場合、第１のＳＴＡ５は、「電波干渉検知モード」の値を有効のままで変更せず、「電波干渉状態」の値を、「電波干渉有り」のままで、再度変更する。
【００８４】
上記で説明した更新の仕方に従うと、第１のＳＴＡ５は、所定の時間経過後に、再度、「電波干渉有り」と判断し、第１のＡＰ３に、再度、現在使用されている周波数チャネル変更を要求することとなり（ステップ  Ｓ２８  ｙｅｓ）、当該周波数チャネルの変更要求を行う（ステップ  Ｓ２９）。尚、第１のＳＴＡ５は、再度、「電波干渉有り」と判断し、所定の時間経過後に、第１のＡＰ３に、現在使用されている周波数チャネル変更を要求しても差し障りはない。
【００８５】
電波干渉が生じている状態で使用される周波数チャネルの使用中止に関する制御は、前述した無線通信制御ソフトウェア１２ａで行われ、周波数チャネルの使用中止という判断に基いて、ＥＣ１６ａがＬＥＤ１６ｂを制御し、ＬＥＤ１６ｂを点灯又は点滅等させることで、ユーザに電波干渉状態であることを報知する、無線通信制御ソフトウェア１２ａで行われた周波数チャネルの使用中止という判断に基いて、サウンドコントローラ１７ａがスピーカ１７ｂを制御し、音を発させることで、ユーザに電波干渉状態であることを報知する、又は、無線通信制御ソフトウェア１２ａで行われた周波数チャネルの使用中止という判断に基いて、メインメモリ１２上にロードされている本電子機器の周辺電波環境に関する情報をユーザに知らせるソフトウェアを用いて、ディスプレイ１３にその情報を表示させることで、ユーザに周波数チャネルの使用を中止することで、電波干渉状態が解消されたことを報知する、ことが可能である。これらの構成をとることで、ユーザは、第１のＳＴＡ５で発生している電波干渉状態が解消されたことを認識することが可能である。
【００８６】
さらに、電波干渉が生じている状態で使用されている周波数チャネルの使用を中止後、ＡＰは当該周波数チャネルと異なる周波数チャネルを選択し、ＳＴＡはこの異なる周波数チャネルを使用してＡＰと無線通信を再開することに関する制御は、前述した無線通信制御ソフトウェア１２ａで行われるとともに、異なる周波数チャネルを使用して無線通信を再開したという判断に基いて、ＥＣ１６ａがＬＥＤ１６ｂを制御し、ＬＥＤ１６ｂを点灯又は点滅等させることで、ユーザに電波干渉状態であることを報知する、無線通信制御ソフトウェア１２ａで行われるとともに異なる周波数チャネルを使用して無線通信を再開したという判断に基いて、サウンドコントローラ１７ａがスピーカ１７ｂを制御し、音を発させることで、ユーザに電波干渉状態であることを報知する、又は、無線通信制御ソフトウェア１２ａで行われるとともに、異なる周波数チャネルを使用して無線通信を再開したという判断に基いて、メインメモリ１２上にロードされている本電子機器の周辺電波環境に関する情報をユーザに知らせるソフトウェアを用いて、ディスプレイ１３にその情報を表示させることで、ユーザに周波数チャネルの使用を中止することで、電波干渉状態が解消されたことを報知する、ことが可能である。これらの構成をとることで、ユーザは、第１のＳＴＡ５が再度、第１のＡＰ３と無線通信を開始したことを認識することが可能である。
【００８７】
電波干渉状態にあるＳＴＡは、電波干渉を発生させる周波数チャネルの使用を中止することで、電波干渉状態を解消することが可能である。さらに、電波干渉を発生させる周波数チャネルの使用を中止した後、当該周波数チャネルと異なる周波数チャネルを使用することで、再度、無線通信を行うことが可能となる。
【００８８】
尚、図６乃至図８を参照にして行った説明は、図１で説明した状況に基く説明であったが、図２で説明した状況にも適合し、さらに、これらの状況に限定されるものではない。
【００８９】
本発明ではその主旨を逸脱しない範囲であれば、上記の実施形態に限定されるものではない。そして、上記実施形態の説明で使用したアクセスポイント及びステーションに限らず、これらの機器と同様の機能を有する電子機器であっても、本発明に差し障りは無い。
【００９０】
【発明の効果】
以上詳述した発明によれば、電波干渉を解消することが可能である。
【図面の簡単な説明】
【図１】２つの無線ＬＡＮが隣接するために生じる電波干渉問題を示す第１の図。
【図２】２つの無線ＬＡＮが隣接するために生じる電波干渉問題を示す第２の図。
【図３】本発明に係るＳＴＡ及びＡＰのハードウェアブロック図。
【図４】電波干渉に関する内容を定義するテーブル。
【図５】本発明に係るＳＴＡ及びＡＰ間における、電波干渉状態を解消するための手順の概略を示した図。
【図６】電波干渉が発生している領域に位置する無線通信可能な電子機器で行なわれる処理手順を示すフローチャート。
【図７】周波数チャネル変更要求を受信した無線通信可能な電子機器によって行なわれる周波数チャネル変更処理手順を示したフローチャート。
【図８】周波数チャネル変更要求に対する応答を待つ無線通信可能な電子機器における周波数変更処理手順を示すフローチャート。
【符号の説明】
１…第１のＢＳＡ、２…第２のＢＳＡ、３…第１のＡＰ、４…第２のＡＰ、
５…第１のＳＴＡ、６…第２のＳＴＡ、
１０…ＣＰＵ、１１…第１のブリッジ回路、１２…メインメモリ、
１３…ディスプレイ、１４…第２のブリッジ回路、
１５…磁気ディスク装置、１６ａ…ＥＣ、１６ｂ…ＬＥＤ、
１７ａ…サウンドコントローラ、１７ｂ…スピーカ、１８…アンテナ、
１９…無線モジュール、
【図１】
2004357056.tif 000003
【図２】
2004357056.tif 000004
【図３】
2004357056.tif 000005
【図４】
2004357056.tif 000006
【図５】
2004357056.tif 000007
【図６】
2004357056.tif 000008
【図７】
2004357056.tif 000009
【図８】
2004357056.tif 000010